(57)【要約】【課題】簡単な構成で容易且つ確実に防滴が図れる多機能形電子部品を提供する。【解決手段】ケース１５０と、ケース１５０の開口１５５内に回転自在に挿入される軸支部２１５及び軸支部２１５中央に設けられる開口部２１２を有する回転つまみ２１０と、軸支部２１５に連結される回転体９０と、ケース１５０を載置する取付台６０と、開口部２１２内に上下動自在に設置される押釦つまみ１８０とを具備する。開口部２１２の部分に軸支部２１５よりも開口部２１２側に張出す張出し部２２１を設け、一方張出し部２２１の下面と回転体９０の上面との間に挟持される筒状の防滴挟持部３５１と、防滴挟持部３５１の内側の空間を覆って押釦つまみ１８０を載置する覆い板部３５３とを有する弾性部材からなる第１防滴部材３５０を設置することで、回転つまみ２１０の開口部２１２と押釦つまみ１８０の間の隙間から浸入する液体が回転体９０側に浸入するのを防止する。【選択図】図１
2009238707.tif 000002
【特許請求の範囲】
【請求項１】
ケースと、ケースの上部に設置されケースに設けた開口内に回転自在に挿入される軸支部及び軸支部中央に設けられる開口部を有する回転つまみと、ケースの下部に設置され前記回転つまみの軸支部に連結される回転体と、回転体の回転によって電気的出力が変化する電気的機能部と、ケース及び回転体を載置する取付台と、前記回転つまみに設けた開口部内に上下動自在に設置される押釦つまみと、前記押釦つまみの下面から突出する押圧部の下端に設置される中央スイッチと、を具備し、
前記回転つまみの開口部の部分に前記軸支部よりも開口部側に張出す張出し部を設け、
一方弾性部材によって構成され、前記張出し部の下面と前記回転体の上面との間に挟持される筒状の防滴挟持部と、防滴挟持部の内側の空間を覆って前記押釦つまみを載置する覆い板部とを有する防滴部材を設置し、
前記防滴部材によって前記回転つまみの開口部と押釦つまみの間の隙間から浸入する液体が回転体側に浸入するのを防止することを特徴とする多機能形電子部品。
【請求項２】
請求項１に記載の多機能形電子部品において、
弾性部材によって構成され、前記回転体を囲むケースの側壁部の外周から張出すつば部の下面とこのつば部の下面に対向する取付台の上面との間に、ケースの側壁部を取り囲んだ状態で挟持される第２防滴部材を設置し、
前記第２防滴部材によってケースと取付台の間の隙間から回転体側に液体が浸入するのを防止することを特徴とする多機能形電子部品。
【請求項３】
請求項１又は２に記載の多機能形電子部品において、
前記多機能形電子部品は、前記取付台の下側に設置されて取付台を揺動自在に支持する支持部材を具備し、支持部材には前記取付台の揺動によって押圧される押圧スイッチと、前記中央スイッチとが設置され、
前記回転つまみを揺動することで回転つまみと共に取付台を揺動させて前記押圧スイッチを押圧操作することを特徴とする多機能形電子部品。
【請求項４】
請求項３に記載の多機能形電子部品において、
前記押圧スイッチと中央スイッチは、支持部材上に載置される回路基板上に形成され、且つこれら押圧スイッチと中央スイッチ上には防滴シートが張り付けられて防滴されていることを特徴とする多機能形電子部品。
【発明の詳細な説明】
【技術分野】
【０００１】
本発明は、回転式電子部品を操作する回転つまみの中央に、押圧式電子部品を操作する押釦つまみを設置することで多機能化された多機能形電子部品に関し、特に回転つまみと押釦つまみの間の隙間から浸入する液体がそれらの下部に設置した電気的機能部に浸入するのを効果的に防止できる多機能形電子部品に関するものである。
【背景技術】
【０００２】
従来、車載用ナビゲーションシステム、コンピュータ、各種携帯機器、各種ＯＡ機器、ゲーム機などを操作するデバイスとして、複数の操作スイッチを一体化した多機能形電子部品がある。そしてこの種の多機能形電子部品の中には、例えば特許文献１の図１に示す多機能形電子部品（１）のように、回転式電子部品を操作する回転つまみ（２０）の中央に、押圧式電子部品を操作する押釦つまみ（１０）を設置し、さらに回転つまみ（２０）をその上面から押圧して揺動することで回転つまみ（２０）を揺動式電子部品の操作用のつまみとして兼用させた構成のものがある。この多機能形電子部品（１）は回転式電子部品の機能と押圧式電子部品の機能と揺動式電子部品の機能とを兼ね備えた多機能形電子部品をコンパクトに構成することができる。
【０００３】
しかしながら多機能形電子部品（１）には防滴機能がなく、このため例えば回転つまみ（２０）中央の開口部（２２）の押釦つまみ（１０）との間の隙間から回転つまみ（２０）の下面側に浸入した水が、その下側に設置している摺動子（６６）等からなる電気的機能部に入り込み、その電気的出力に誤動作が生じる恐れがあった。
【特許文献１】特開２００７−３３５１９１号公報
【発明の開示】
【発明が解決しようとする課題】
【０００４】
本発明は上述の点に鑑みてなされたものでありその目的は、構造の複雑な多機能型電子部品であっても、簡単な構成で容易且つ確実に防滴を図ることができる多機能形電子部品を提供することにある。
【課題を解決するための手段】
【０００５】
本願請求項１に記載の発明は、ケースと、ケースの上部に設置されケースに設けた開口内に回転自在に挿入される軸支部及び軸支部中央に設けられる開口部を有する回転つまみと、ケースの下部に設置され前記回転つまみの軸支部に連結される回転体と、回転体の回転によって電気的出力が変化する電気的機能部と、ケース及び回転体を載置する取付台と、前記回転つまみに設けた開口部内に上下動自在に設置される押釦つまみと、前記押釦つまみの下面から突出する押圧部の下端に設置される中央スイッチと、を具備し、前記回転つまみの開口部の部分に前記軸支部よりも開口部側に張出す張出し部を設け、一方弾性部材によって構成され、前記張出し部の下面と前記回転体の上面との間に挟持される筒状の防滴挟持部と、防滴挟持部の内側の空間を覆って前記押釦つまみを載置する覆い板部とを有する防滴部材を設置し、前記防滴部材によって前記回転つまみの開口部と押釦つまみの間の隙間から浸入する液体が回転体側に浸入するのを防止することを特徴とする多機能形電子部品にある。
【０００６】
本願請求項２に記載の発明は、請求項１に記載の多機能形電子部品において、弾性部材によって構成され、前記回転体を囲むケースの側壁部の外周から張出すつば部の下面とこのつば部の下面に対向する取付台の上面との間に、ケースの側壁部を取り囲んだ状態で挟持される第２防滴部材を設置し、前記第２防滴部材によってケースと取付台の間の隙間から回転体側に液体が浸入するのを防止することを特徴とする多機能形電子部品にある。
【０００７】
本願請求項３に記載の発明は、請求項１又は２に記載の多機能形電子部品において、前記多機能形電子部品は、前記取付台の下側に設置されて取付台を揺動自在に支持する支持部材を具備し、支持部材には前記取付台の揺動によって押圧される押圧スイッチと、前記中央スイッチとが設置され、前記回転つまみを揺動することで回転つまみと共に取付台を揺動させて前記押圧スイッチを押圧操作することを特徴とする多機能形電子部品にある。
【０００８】
本願請求項４に記載の発明は、請求項３に記載の多機能形電子部品において、前記押圧スイッチと中央スイッチは、支持部材上に載置される回路基板上に形成され、且つこれら押圧スイッチと中央スイッチ上には防滴シートが張り付けられて防滴されていることを特徴とする多機能形電子部品にある。
【発明の効果】
【０００９】
請求項１に記載の発明によれば、回転つまみに設けた張出し部の下面と回転体の上面との間に防滴部材の防滴挟持部を挟持させ且つ防滴部材の覆い板部上に押釦つまみを載置するという容易且つ簡単な構造だけで、回転つまみの開口部と押釦つまみの間の隙間から浸入する液体が回転体側に浸入するのを防止することができる。
【００１０】
請求項２に記載の発明によれば、第２防滴部材をケースのつば部の下面と取付台の上面との間に挟持させるという容易且つ簡単な構造だけで、ケースと取付台の間の隙間から回転体側に液体が浸入するのを防止することができる。
【００１１】
請求項３に記載の発明によれば、上記防滴構造を有する多機能形電子部品に、さらに揺動式電子部品の機能も併せ持たせることができる。
【００１２】
請求項４に記載の発明によれば、支持部材上に設置した押圧スイッチと中央スイッチの防滴をも図ることができる。
【発明を実施するための最良の形態】
【００１３】
以下、本発明の実施形態を図面を参照して詳細に説明する。
図１は本発明を用いて構成した第１実施形態にかかる多機能形電子部品１−１の概略断面図、図２は多機能形電子部品１−１を上側から見た斜視図、図３は多機能形電子部品１−１を下側から見た斜視図、図４，図５，図６は多機能形電子部品１−１を上側から見た分解斜視図（図４はその上側の部品、図５はその中間の部品、図６はその下側の部品を示す）、図７，図８，図９は多機能形電子部品１−１を下側から見た分解斜視図（図７はその上側の部品、図８はその中間の部品、図９はその下側の部品を示す）である。なお図１に示す断面図は図示の都合上、各部の断面の位置が異なっている。
【００１４】
これらの図に示すように多機能形電子部品１−１は、支持部材１０上に、フレキシブル回路基板３０の第２回路基板（以下「第２回路基板部」という）３３と、取付台６０と、フレキシブル回路基板３０の第１回路基板（以下「第１回路基板部」という）３１と、防滴部材（以下「第２防滴部材」という）３００と、電気的機能部である摺動子１００を取り付けた回転体９０と、クリック部材（以下「クリックバネ」という）１２０と、ケース１５０と、防滴部材（以下「第１防滴部材」という）３５０と、スペーサ部材１７０と、押釦つまみ１８０と、回転つまみ２１０と、を設置して構成されている。この多機能形電子部品１−１は、回転式電子部品としての機能のほかに、押圧式電子部品としての機能と、多方向に揺動して揺動した側のスイッチをオンする揺動式電子部品としての機能とを併せ持つものである。なお以下の説明において、「上」または「上方向」とは取付台６０から回転つまみ２１０側を向く方向をいい、「下」または「下方向」とはその反対側を向く方向を言うものとする。以下各構成部品について順に説明する。
【００１５】
支持部材１０は金属製の硬質板（例えば鉄板）の外形を略円形としてなる支持部材基部１１を有し、支持部材基部１１の外周からほぼ等間隔（略９０°間隔で４箇所）に外方に向けて舌片状の係合片取付部１３を突出し、その中間部分を上方に向けて折り曲げてほぼ垂直に立設して構成されている。各係合片取付部１３には、下記する取付台６０に設けた係合片６７の先端部を挿入して係止する略矩形状の開口からなる係合片挿入部１５が設けられている。
【００１６】
フレキシブル回路基板３０は、可撓性を有する合成樹脂フイルム上に所望の回路パターンを形成して構成されており、細帯状の連結部３５によって第１回路基板部３１と第２回路基板部３３とを連結し、さらに第２回路基板部３３に細帯状の引出部３６を接続して構成されている。合成樹脂フイルムの材質は、可撓性のある合成樹脂フイルムであれば熱可塑性フイルムでも熱硬化性フイルムでも光硬化性フイルムでも良く、この実施形態ではポリエチレンテレフタレート（ＰＥＴ）フイルムを用いているが、それ以外にも例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を使用しても良い。
【００１７】
第１回路基板部３１は略円形の外形を有し、中央に下記する取付台６０の筒状突出部６１を挿通する円形の開口部３７を設け、またその外周近傍の所定位置（略等間隔の４箇所）に貫通する小孔からなる挿通部３９を設け、さらに第１回路基板部３１の下面の開口部３７の周囲を囲む位置に電気的機能部である摺接パターン４１を形成して構成されている。摺接パターン４１の具体的構成は図示していないが、スイッチパターンであっても良いし、抵抗体パターンであっても良いし、それら以外の各種機能を有するパターンであっても良い。摺接パターン４１は導電塗料を塗布することで形成しても良いし、貼り付けた金属箔をエッチングすることによって形成しても良いし、蒸着などの手段によって形成しても良い。
【００１８】
第２回路基板部３３はその外形が前記支持部材基部１１の外形とほぼ同一寸法の略八角形状に形成され、その上面の中央に中央スイッチ４３を設置し、中央スイッチ４３の周囲を囲む位置に等間隔（９０°間隔）に複数（４つ）の押圧スイッチ４５を設置して構成されている。中央スイッチ４３及び押圧スイッチ４５は、何れも第２回路基板部３３上に形成した図示しないスイッチパターン上に弾性金属板をドーム形状に形成してなる反転板（この実施形態では可動接点板）４３ａ，４５ａを設置して構成されている。第２回路基板部３３の上面には第２回路基板部３３とほぼ同一形状で下面に接着層を有する片面接着シートからなる第１防滴シート４７が貼り付けられ、第２回路基板部３３の下面には第２回路基板部３３とほぼ同一形状で上下面に接着層を有する両面接着シートからなる接着シート４９の上面が貼り付けられている。
【００１９】
引出部３６には、前記摺接パターン４１や中央，押圧スイッチ４３，４５と接続されている回路パターンが引き出されている。連結部３５の下面には第２防滴シート５１が貼り付けられる。第２防滴シート５１は上面に接着層を有する帯状の片面接着シートであり、その幅は連結部３５の幅とほぼ同一であり、その長さは連結部３５より長い寸法に形成されている。第２防滴シート５１は連結部３５上（図６の下面）に形成される回路パターンを防滴・保護するためのものである。即ち第１回路基板部３１上に形成する摺接パターン４１と第２回路基板部３３上に形成するスイッチパターンとは表裏が逆のため、この例においては図６において第１回路基板部３１の下面側に形成している摺接パターン４１から連結部３５に引き出される回路パターンは連結部３５の下面側を通過し、第２回路基板部３３の連結部３５を連結している部分近傍の位置においてスルホールによって第２回路基板部３３の上面側に引き出され、第２回路基板部３３の表面側を、前記各中央スイッチ４３及び押圧スイッチ４５を構成するスイッチパターンに接続される回路パターンと共に引出部３６に引き出されている。そして第２回路基板部３３上の各種回路パターンは前記第１防滴シート４７によって防滴されるが、第１防滴シート４７によって防滴されない連結部３５（下面）に露出する回路パターンを防滴するため第２防滴シート５１が貼り付けられている。なお接着シート４９は支持部材１０に接着するために両面接着シートで構成されているので、連結部３５の保護には使えない（接着層が外方に露出するため）。一方第１回路基板部３１（下面）の摺接パターン４１は下記する第１，第２防滴部材３５０，３００によって防滴される。
【００２０】
取付台６０は合成樹脂を略円板形状に成形して構成されており、その中央に上方向に向かって突出する筒状突出部６１を設け、その中央に略円形で上下に貫通する開口部６２を設けている。開口部６２は下記する押釦つまみ１８０の押圧部１８３を上下動自在に挿通させるものであり、その内周面には、押釦つまみ１８０の回り止め係合部１８７を係合する軸方向（上下方向）に伸びる溝（上部はスリット）からなる回り止め６３が形成されている。また取付台６０の外周近傍部分の４箇所（下記するケース１５０の各取付台固定部１５７に対向する位置）には、上下に貫通する小孔からなる取付固定部６５が設けられ、また取付台６０の外周から半径方向外方に向かって等間隔に複数（４箇所）の舌片状の係合片６７を突設している。各係合片６７の左右両側辺には小突起状の係止部６９が形成されている。取付台６０の下面の各取付固定部６５の間の所定位置（前記各押圧スイッチ４５に対向する位置）には下方向に向かって柱状に突出する押圧部７１が形成されている。
【００２１】
第２防滴部材３００は弾性ゴムなどからなる弾性部材をリング状に成形して構成されている。この実施形態ではシリコンゴムを用いているが、他の各種弾性材料を用いて構成しても良い。第２防滴部材３００中央の開口部３０１の内径寸法は下記するケース１５０の側壁部１５３の外径寸法とほぼ同一に形成され、また第２防滴部材３００の外周側面には段部３０３を設け、段部３０３より下側の部分の外径寸法を前記取付台６０（係合片６７の部分を除く）の外径寸法とほぼ同一寸法に形成し、また段部３０３より上側の部分の外径寸法を下記するケース１５０（そのつば部１６１）の外径寸法とほぼ同一寸法に形成している。
【００２２】
回転体９０は合成樹脂を略円板状に成形して構成されており、その中央に取付台６０の筒状突出部６１を回動自在に挿入する開口部９１を設けている。回転体９０の開口部９１を挟んだその１８０°対向する位置（下記する回転つまみ２１０の回転体係止部２１７に対向する位置）には上下に貫通する略扇形状の小孔からなる一対の挿入部９３が設けられ、また挿入部９３と略同一円周上（下記する回転つまみ２１０のクリックバネ固定部２１９に対向する位置）の上面には複数（２つ）の収納凹部９５が設けられている。一方回転体９０の下面の開口部９１の周囲には下方向に向かって突出する筒状の突出部９７が形成されており、突出部９７の周囲の面は下記する摺動子１００を設置する摺動子設置部９８となっている。摺動子設置部９８の所定位置（同一円周上の等間隔（１２０°間隔）の位置）には小突起状の摺動子固定部９９が設けられている。
【００２３】
摺動子１００は弾性金属板製であり、回転体９０の外径寸法よりも若干小さな外径寸法を有する略円形の平板状に形成され、中央に円形に貫通する開口部１０１を設けると共に、開口部１０１の外側の等間隔（１２０°間隔）の複数位置（３箇所）に前記回転体９０に設けた摺動子固定部９９を挿入する貫通孔からなる取付固定部１０３を設け、さらに各取付固定部１０３を設けた部分の側部から３組の摺接ブラシ１０５を摺動子１００の円周方向に沿って突出して構成されている。各摺接ブラシ１０５の先端近傍には接点部１０７が設けられ、また各摺接ブラシ１０５はそれらの根本部分が若干下方に折り曲げられている。
【００２４】
クリックバネ１２０は弾性金属板を略円形に形成した基部１２１と、基部１２１の外周を囲んで１８０°対向する位置に設置される半円弧状の一対のアーム部１２３とを一体に形成して構成されている。基部１２１の中央には上下に貫通する円形の開口部１２５が設けられ、また開口部１２５を挟んで１８０°対向するその両側位置（下記する回転つまみ２１０の回転体係止部２１７に対向する位置）には扇形状に貫通する挿通部１２７が設けられ、また挿通部１２７と略同一円周上（下記する回転つまみ２１０のクリックバネ固定部２１９に対向する位置）には複数（２つ）の円形の取付固定部１２９が設けられている。一対のアーム部１２３はその両端が基部１２１の外周から突出する一対の連結部１２８に連結されており、両アーム部１２３の中央付近には上方向に向かって突出するように屈曲してなる弾接部１３１が設けられている。なお挿通部１２７を連結部１２８近傍位置に設けることで、取付固定部１２９の位置を連結部１２８から離し、これによってアーム部１２３の弾発力を大きくしている。
【００２５】
ケース１５０は合成樹脂を成形して構成されており、略円形平板状の上面部１５１と、上面部１５１の下面から下方に筒状に突出してなる側壁部１５３とを具備している。上面部１５１の中央には下記する回転つまみ２１０の軸支部２１５を回動自在に挿入する上下に貫通する円形の開口１５５を有している。また側壁部１５３の下端辺の複数位置には、前記取付台６０の各取付固定部６５に挿入される突起状の取付台固定部１５７が設けられている。また上面部１５１の下面の開口１５５の周囲には、前記クリックバネ１２０の弾接部１３１を弾接させる多数の凹凸をリング状に形成してなるクリック係合部１５９が設けられている。またケース１５０の上面部１５１の外周部分は、ケース１５０の側壁部１５３の外周から張出す平板リング状のつば部１６１となっている。
【００２６】
スペーサ部材１７０は、ＰＯＭ樹脂などの摺動性に優れた成形樹脂製の薄板状部材であり、ケース１５０の上面部１５１の外形とほぼ一致する円形の外形を有し、中央に前記ケース１５０の開口１５５とほぼ同一内径の開口部１７１を設けて構成されている。このスペーサ部材１７０は、回転つまみ２１０とケース１５０の間に設置されて回転つまみ２１０の回転時のケース１５０に対する回転摺動性を向上させると共に、ケース１５０及び回転つまみ２１０に密着してこの部分からの液体の浸入を防止するための部材である。
【００２７】
押釦つまみ１８０は合成樹脂の成形品であり、略円板状の本体部１８１と、本体部１８１の下面中央から下方向に突出する柱状の押圧部１８３とを具備し、また本体部１８１の外周下部から薄板リング状のつば部１８５を突出して構成されている。また押圧部１８３の外周面には上下方向（軸方向）に沿う突条からなる回り止め係合部１８７が設けられている。また押圧部１８３の根本部分の外周には、リング状に切り欠いた溝からなる第１防滴部材取付部１８９が形成されている。
【００２８】
第１防滴部材３５０は弾性ゴムなどからなる弾性部材を略円形に一体成形して構成されている。この例ではシリコンゴムを用いているが、他の各種弾性材料を用いて構成しても良い。第１防滴部材３５０は、筒状の防滴挟持部３５１と、防滴挟持部３５１の内側の空間を覆うとともに下記する押釦つまみ１８０（その本体部１８１の下面）を当接・載置する薄板状の覆い板部３５３とを具備して構成されている。覆い板部３５３は図１に示すように、筒状の防滴挟持部３５１の内周下部から内側に向かって突出する根本部３５５と、根本部３５５から円錐台形状に上方向に突出する側壁部３５７と、側壁部３５７の上端辺に連結される円板状のつまみ取付部３５９とを具備して構成されている。側壁部３５７の肉厚は薄く構成され、この部分が変形することでつまみ取付部３５９上に載置される押釦つまみ１８０は上下動自在となる。つまみ取付部３５９の中央には上下に貫通する小孔からなる取付孔３６１が設けられている。取付孔３６１の内径寸法は前記押釦つまみ１８０に設けた第１防滴部材取付部１８９の外径寸法よりも少し小さい寸法に形成されている。
【００２９】
回転つまみ２１０は合成樹脂の成形品であり、略円板状の本体部２１１の外周から下方に向かって筒状に側壁部２１３を突出して構成されている。本体部２１１の中央には上下に貫通して前記押釦つまみ１８０の本体部１８１を挿入する内径寸法（且つつば部１８５の外径寸法よりも小さい内径寸法）の円形の開口部２１２が設けられている。また本体部２１１の下面の開口部２１２の周囲には下方向に突出する筒状の軸支部２１５が設けられている。軸支部２１５の内径寸法は前記押釦つまみ１８０のつば部１８５をちょうど上下動自在に収納できる寸法であり、軸支部２１５の外径寸法は前記ケース１５０の開口１５５に挿入されて回動自在に軸支される寸法である。即ち言い換えればケース１５０に設けた開口１５５内に回転自在に挿入される軸支部２１５中央に開口部２１２を設けている。
【００３０】
軸支部２１５の下端辺の１８０°対向する２ヶ所（前記クリックバネ１２０の一対の挿通部１２７に対向する位置）からは下方向に向かって回転体係止部２１７が突設され、また軸支部２１５の下端辺の前記一対の回転体係止部２１７の間の１８０°対向する２ヶ所（前記クリックバネ１２０の一対の取付固定部１２９に対向する位置）からは下方向に向かって円柱状の小突起からなるクリックバネ固定部２１９が突設されている。回転体係止部２１７は前記挿通部１２７にぴったり挿入される寸法に形成され、またクリックバネ固定部２１９は前記取付固定部１２９にぴったり挿入される寸法に形成されている。さらに回転つまみ２１０の開口部２１２の周囲部分は、軸支部２１５（その内周）よりも開口部２１２側に向かって張出すことで略平板リング状の張出し部２２１となっている。
【００３１】
次に多機能形電子部品１−１の組み立て方法を説明する。まず予め回転体９０の摺動子設置部９８に摺動子１００を設置し、その際回転体９０の各摺動子固定部９９を摺動子１００の各取付固定部１０３に挿入してその先端を熱かしめして固定する。またフレキシブル回路基板３０の第２回路基板部３３（下面に接着シート４９が貼り付けられている）の上面に第１防滴シート４７を貼り付け、これによって反転板４３ａ，４５ａを固定すると同時に中央スイッチ４３と押圧スイッチ４５とを防滴する。また連結部３５の図６に示す下面に第２防滴シート５１を貼り付け、連結部３５に露出している回路パターンを覆って防滴する。また押釦つまみ１８０の押圧部１８３を第１防滴部材３５０の取付孔３６１に挿入し、図１に示すように取付孔３６１の部分を第１防滴部材取付部１８９に挿入・係合する。これによって押釦つまみ１８０の本体部１８１の下面に第１防滴部材３５０の覆い板部３５３の上面が面接触する。
【００３２】
そして回転つまみ２１０の開口部２１２にその下面側から第１防滴部材３５０を取り付けた押釦つまみ１８０の本体部１８１を挿入し、本体部１８１の上面を開口部２１２から回転つまみ２１０の上面側に露出させる。このとき第１防滴部材３５０は軸支部２１５内側の空間内に収納され、防滴挟持部３５１はその上面が回転つまみ２１０の張出し部２２１の下面に当接し、その外周面が軸支部２１５の内周面に当接し、その下面が軸支部２１５の下面（回転体係止部２１７及びクリックバネ固定部２１９の部分を除く）から若干下方向に突出する。次に回転つまみ２１０の本体部２１１の下面にスペーサ部材１７０を設置してその下側にケース１５０を設置する。このときケース１５０の開口１５５内に回転つまみ２１０の軸支部２１５が回動自在に挿入され、また回転つまみ２１０の側壁部２１３の内側にケース１５０が入り込む。
【００３３】
次にケース１５０の側壁部１５３（つば部１６１の下側部分）を第２防滴部材３００の開口部３０１内に挿入することで、側壁部１５３の外周面に第２防滴部材３００を当接して装着する。このとき第２防滴部材３００の下面は側壁部１５３の下面よりも若干下方向に突出する。次にケース１５０の下面側の側壁部１５３内にクリックバネ１２０を挿入する。このとき押釦つまみ１８０の押圧部１８３はクリックバネ１２０の開口部１２５に挿通され、またクリックバネ１２０の基部１２１は回転つまみ２１０の軸支部２１５の下端面に当接し、その際回転つまみ２１０の一対の回転体係止部２１７と一対のクリックバネ固定部２１９は、それぞれクリックバネ１２０の挿通部１２７と取付固定部１２９に挿入される。そして各クリックバネ固定部２１９の先端を熱かしめすることで回転つまみ２１０とクリックバネ１２０とをケース１５０を介して一体化する。このとき押釦つまみ１８０の本体部１８１及び第１防滴部材３５０は回転つまみ２１０の軸支部２１５の内部空間から抜け出ないように収納される。またこのとき第１防滴部材３５０の防滴挟持部３５１はその下面全体がクリックバネ１２０の基部１２１の上面にリング状に当接して少し押圧され若干押し潰されることで弾接している。つまり防滴挟持部３５１は回転つまみ２１０の張出し部２２１とクリックバネ１２０間に挟持され、軸支部２１５とクリックバネ１２０の間の隙間を確実に密閉している。さらにこのときクリックバネ１２０の両弾接部１３１はそれぞれケース１５０のクリック係合部１５９に弾接している。またこのとき回転つまみ２１０の一対の回転体係止部２１７はクリックバネ１２０の基部１２１の下方に突出しており、また前記スペーサ部材１７０は回転つまみ２１０とケース１５０の間に挟持されている。
【００３４】
次に摺動子１００を取り付けた回転体９０をクリックバネ１２０の下面側に設置する。このとき押釦つまみ１８０の押圧部１８３を回転体９０の開口部９１に挿通させると共に、クリックバネ１２０の下面側に突出している回転つまみ２１０の一対の回転体係止部２１７を回転体９０の挿入部９３に挿入する。なお回転体係止部２１７の先端は回転体９０の挿入部９３内に位置し、回転体９０の下面（摺動子設置部９８の面）に突出していない。
【００３５】
次にフレキシブル回路基板３０の第１回路基板部３１をその下面（摺接パターン４１を設けた側の面）を上向きとした状態で取付台６０の上面に載置し、その際その開口部３７に取付台６０の筒状突出部６１を挿通する。このとき取付台６０の各取付固定部６５と第１回路基板部３１の各挿通部３９の位置を一致させておく。そしてこの第１回路基板部３１を設置した取付台６０をケース１５０の下側に設置する。このとき回転体９０の開口部９１内に筒状突出部６１を挿入し、同時に押釦つまみ１８０の押圧部１８３をその回り止め係合部１８７を回り止め６３に係合させて開口部６２内に挿通し、押圧部１８３の下端を取付台６０の下面側に突出させる。そしてケース１５０の各取付台固定部１５７を第１回路基板部３１の各挿通部３９と取付台６０の各取付固定部６５とに挿通し、取付台６０の下面側に突出する取付台固定部１５７の先端を熱かしめする。これによって回転体９０に取り付けた摺動子１００の接点部１０７が第１回路基板部３１上の摺接パターン４１に弾接する。またこのとき第２防滴部材３００はケース１５０のつば部１６１の下面と、取付台６０上に載置した第１回路基板部３１の上面とに当接挟持され、若干弾性変形することでケース１５０の側壁部１５３の下端辺と第１回路基板部３１との間の隙間が水密状に密閉される。
【００３６】
次に前記フレキシブル回路基板３０の連結部３５の部分を下方に折り返すことで、第２回路基板部３３を取付台６０の下面に配置し、さらに第２回路基板部３３の下面側に支持部材１０を設置することで第２回路基板部３３を支持部材１０に貼り付ける。同時に取付台６０の各係合片６７の係止部６９より先端側の部分を支持部材１０の各係合片取付部１３の係合片挿入部１５内にスナップイン係合によって挿入して取り付ける。このとき取付台６０の各押圧部７１はそれぞれ各押圧スイッチ４５の反転板４５ａ上（正確にはその上の第１防滴シート４７上）に当接し、この状態で各係合片６７が各係合片挿入部１５の内周上辺に当接することで、取付台６０が支持部材１０によって揺動自在に支持された状態となる。なおこのとき押釦つまみ１８０の押圧部１８３の下端面も中央スイッチ４３の反転板４３ａ上（正確にはその上の第１防滴シート４７上）に当接し、同時にそのつば部１８５の上面は回転つまみ２１０の本体部２１１の下面（張出し部２２１の下面）に当接または接近している。以上により図１に示す多機能形電子部品１−１が完成する。なお上記組立手順はその一例であり、他の各種異なる組立手順を用いて組み立てても良いことはいうまでもない。なお図１に示す４００は外装ケースであり、その開口部４０１内に回転つまみ２１０が挿入設置される。
【００３７】
次に多機能形電子部品１−１の動作を説明する。まず回転つまみ２１０を回転すると、これと一体にクリックバネ１２０及び回転体９０及び摺動子１００が回転し、これによってクリックバネ１２０の弾接部１３１がケース１５０のクリック係合部１５９に弾接係合してクリック感触が生じると共に、摺動子１００の接点部１０７が第１回路基板部３１の摺接パターン４１上を摺動して摺接パターン４１の電気的出力が変化する。なお回転つまみ２１０を回転した際、これと一体に第１防滴部材３５０も回転するが、押釦つまみ１８０はその回り止め係合部１８７が取付台６０の回り止め６３に係合しているので回転しない。つまり押釦つまみ１８０は第１防滴部材３５０の回転に追従（供回り）しない。このように構成したのは、押釦つまみ１８０の本体部１８１表面に所望の方向性のある表示（例えば矢印や記号など）を施していたような場合にその表示が回転するのを防止するためである。従って前記表示が方向性のないもの（例えば同一色だけを全面（またはリング状や円形など）に形成したもの）の場合は、押釦つまみ１８０が回転つまみ２１０と一体に回転するようにしても良い。つまり前記回り止め係合部１８７と回り止め６３を省略しても良い。
【００３８】
一方押釦つまみ１８０の本体部１８１の上面を押圧すると、押釦つまみ１８０が下降してその押圧部１８３が中央スイッチ４３の反転板４３ａを押圧して反転させ、これによって中央スイッチ４３がオンする。押釦つまみ１８０への押圧を解除すれば、反転板４３ａは元の形状に自動復帰し、押釦つまみ１８０は押し上げられて中央スイッチ４３はオフする。一方回転つまみ２１０の本体部２１１上面の、前記取付台６０の何れかの押圧部７１に対応する部分を下方向に押圧すると、取付台６０上に設置している各構成部品（ケース１５０や回転体９０や回転つまみ２１０など）が取付台６０と一体に押圧された方向に傾いて揺動し、下降した側の押圧部７１がこれに対向する押圧スイッチ４５の反転板４５ａを押圧して反転させてその押圧スイッチ４５をオンする。前記回転つまみ２１０への押圧を解除すれば、反転板４５ａの自動復帰力で取付台６０上の回転つまみ２１０を含む各構成部品が一体に元の位置に自動復帰し、押圧スイッチ４５はオフする。
【００３９】
この多機能形電子部品１−１を例えば携帯型端末装置などに用いた場合は、一例として回転つまみ２１０の回転操作によって所定の操作内容を順に携帯型端末装置の表示部に表示させ、回転つまみ２１０を揺動させる操作で前記表示させた操作内容の内の何れかを選択し、さらに押釦つまみ１８０を押圧する操作でこの選択した操作内容を確定するなどして用いることができる。
【００４０】
以上説明したように多機能形電子部品１−１は、ケース１５０と、ケース１５０の上部に設置されケース１５０に設けた開口１５５内に回転自在に挿入される軸支部２１５及び軸支部２１５中央に設けられる開口部２１２を有する回転つまみ２１０と、ケース１５０の下部に設置され回転つまみ２１０の軸支部２１５に連結される回転体９０と、回転体９０の回転によって電気的出力が変化する摺動子１００及び摺接パターン４１からなる電気的機能部と、ケース１５０及び回転体９０を載置する取付台６０と、回転つまみ２１０に設けた開口部２１２内に上下動自在に設置される押釦つまみ１８０と、取付台６０の下側に設置されて取付台６０を揺動自在に支持する支持部材１０と、支持部材１０上に設置され取付台６０の揺動によって押圧される押圧スイッチ４５と、支持部材１０上に設置され押釦つまみ１８０の下面から突出する押圧部１８３によって押圧される中央スイッチ４３とを具備して構成されている。
【００４１】
そしてさらに多機能形電子部品１−１は各種防滴機能を具備しており、電気的な動作を行う部分全てが保護されている。即ち多機能形電子部品１−１は、回転つまみ２１０の開口部２１２の部分に軸支部２１５よりも開口部２１２側に張出す張出し部２２１を設け、一方張出し部２２１の下面と回転体９０の上面との間にクリックバネ１２０を介在して挟持される筒状の防滴挟持部３５１と、防滴挟持部３５１の内側の空間を覆って押釦つまみ１８０を載置する覆い板部３５３とを有する第１防滴部材３５０を設置しており、この第１防滴部材３５０によって回転つまみ２１０の開口部２１２と押釦つまみ１８０の間の隙間から浸入した液体が回転体９０側（即ち摺動子１００と摺接パターン４１からなる電気的機能部側）に浸入するのを確実に防止している。なお前述のように、覆い板部３５３は筒状の防滴挟持部３５１の内周下部から内側に向かって突出する根本部３５５と、根本部３５５から円錐台形状に上方向に突出する側壁部３５７とを設けているので、防滴挟持部３５１の内側に凹部ａ１が形成され、これによって回転つまみ２１０と押釦つまみ１８０の間の隙間から浸入した液体は通常重力によってこの凹部ａ１に溜り、さらに効果的に電気的機能部側への液体の浸入が防止されている。
【００４２】
一方回転体９０を囲むケース１５０の側壁部１５３の外周から張出すつば部１６１の下面とつば部１６１の下面に対向する取付台６０（この実施形態の場合はその間に介在する第１回路基板部３１）の上面との間に、ケース１５０の側壁部１５３を取り囲んだ状態で挟持される第２防滴部材３００を設置し、第２防滴部材３００によって外装ケース４００の開口部４０１から浸入した液体がケース１５０と取付台６０（この実施形態の場合はその間に介在する第１回路基板部３１）の間の隙間から回転体９０側（電気的機能部側）に浸入するのを確実に防止している。
【００４３】
さらに回転つまみ２１０下面とケース１５０上面との間の隙間にはスペーサ部材１７０が挟持されることでその隙間から回転体９０側（電気的機能部側）に液体が浸入するのを確実に防止している。さらに前述のように第２回路基板部３３上の各種回路パターンは第１防滴シート４７によって防滴され、連結部３５上に露出する回路パターンは第２防滴シート５１によって防滴されている。
【００４４】
図１０は本発明を用いて構成した第２実施形態にかかる多機能形電子部品１−２の概略断面図である。なお図１０に示す断面図は図示の都合上、図１と同様に各部の断面の位置が異なっている。同図に示す多機能形電子部品１−２において、前記図１〜図９に示す多機能形電子部品１−１と同一又は相当部分には同一符号を付す。なお以下で説明する事項以外の事項については、前記図１〜図９に示す実施形態と同じである。
【００４５】
この多機能形電子部品１−２において前記多機能形電子部品１−１と相違する点は、押釦つまみ１８０−２の構造と、第１防滴部材３５０−２の構造と、前記多機能形電子部品１−１において設けていた押釦つまみ１８０の回り止め係合部１８７と取付台６０の回り止め６３とを省略した点とである。
【００４６】
図１１，図１２は押釦つまみ１８０−２と第１防滴部材３５０−２の分解斜視図であり、図１１は上側から見た図、図１２は下側から見た図である。これらの図に示すように押釦つまみ１８０−２は本体部１８１−２と押圧部１８３−２とが２部品に分離されている。本体部１８１−２と押圧部１８３−２は何れも合成樹脂の成形品であり、本体部１８１−２は略円板状に形成され、その外周下部から薄板リング状のつば部１８５−２を突出して構成されている。押圧部１８３−２は薄板（円板）状の防滴部材当接部１８４−２の下面中央から下方向に柱状の押圧部１８３−２を突出して構成されている。
【００４７】
一方第１防滴部材３５０−２において前記多機能形電子部品１−１の第１防滴部材３５０と相違する点は、第１防滴部材３５０において設けていた中央の取付孔３６１を省略した点のみである。その他の点は全て前記多機能形電子部品１−１と同一なので、該当部分に同一符号を付し、その説明は省略する。
【００４８】
そしてこの多機能形電子部品１−２における押釦つまみ１８０−２と第１防滴部材３５０−２の装着手順は、回転つまみ２１０の開口部２１２に本体部１８１−２を挿入し、その下側に第１防滴部材３５０−２を設置し、さらにその下側に押圧部１８３−２を設置することで行なう。それ以外の組み立て手順は前記多機能形電子部品１−１の組み立て手順と同じである。
【００４９】
この多機能形電子部品１−２では、図１０に示すように、第１防滴部材３５０−２の覆い板部３５３を本体部１８１−２（その下面）と押圧部１８３−２（防滴部材当接部１８４−２）によって挟持する構造となる。なおこの実施形態では本体部１８１−２（その下面）と押圧部１８３−２（防滴部材当接部１８４−２）とを覆い板部３５３に当接しているだけで接着等していないが、接着等しても良い。そしてこの多機能形電子部品１−２の場合は、前述のように前記多機能形電子部品１−１において設けていた回り止め係合部１８７と回り止め６３とを省略しているので、回転つまみ２１０を回転した際に押釦つまみ１８０もこれと一体に回転する。
【００５０】
そして回転つまみ２１０を回転すると、前記多機能形電子部品１−１の場合と同様にして摺接パターン４１の電気的出力が変化する。一方押釦つまみ１８０−２の本体部１８１−２の上面を押圧すると、本体部１８１−２が当接している覆い板部３５３及び押圧部１８３−２が押圧されて下降し、押圧部１８３−２が中央スイッチ４３の反転板４３ａを押圧して反転させ、これによって中央スイッチ４３がオンする。本体部１８１−２への押圧を解除すれば、反転板４３ａは元の形状に自動復帰し、押圧部１８３−２及び本体部１８１−２は押し上げられて中央スイッチ４３はオフする。一方回転つまみ２１０の本体部２１１上面の、前記取付台６０の何れかの押圧部７１に対応する部分を下方向に押圧すると、前記多機能形電子部品１−１の場合と同様にして下降した側の押圧部７１がこれに対向する押圧スイッチ４５をオンする。前記回転つまみ２１０への押圧を解除すれば押圧スイッチ４５はオフする。
【００５１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各例では回転体９０の回転によって電気的出力が変化する電気的機能部として摺動子１００及び摺接パターン４１を用いたが、本発明はこれに限定されず、回転体９０の回転によって電気的出力が変化する構造であれば、他の各種構造の電気的機能部を用いても良い。
【００５２】
また上記各例では第１防滴部材３５０（３５０−２）の防滴挟持部３５１を、回転つまみ２１０の張出し部２２１と回転体９０の上面に設置したクリックバネ１２０との間に挟持したが、クリックバネ１２０を介在させないで、直接張出し部２２１と回転体９０との間に挟持しても良い。また逆に張出し部２２１と防滴挟持部３５１の間に他の部材を介在させたり、回転体９０と防滴挟持部３５１の間にクリックバネ１２０以外の他の部材を介在させたりしても良い。要は筒状の防滴挟持部３５１を、回転つまみ２１０に設けた張出し部２２１の下面と回転体９０の上面との間に直接または他の部材を介して間接に挟持する構造であれば良い。
【００５３】
また同様に上記各例では第２防滴部材３００を、ケース１５０の側壁部１５３の外周から張出すつば部１６１の下面とこのつば部１６１の下面に対向する取付台６０上の第１回路基板部３１の上面との間に挟持したが、第１回路基板部３１を介在させないで、直接つば部１６１の下面と取付台６０の上面との間に挟持してもよい。また逆につば部１６１と第２防滴部材３００の間に他の部材を介在させたり、取付台６０と第２防滴部材３００の間に第１回路基板部３１以外の他の部材を介在させたりしても良い。要は第２防滴部材３００を、ケース１５０のつば部１６１の下面とこのつば部１６１の下面に対向する取付台６０の上面との間に、ケース１５０の側壁部１５３を取り囲んだ状態で、直接または他の部材を介して間接に挟持する構造であれば良い。
【００５４】
また上記各例では、第１防滴部材３５０（３５０−２）と第２防滴部材３００の両者を設置したが、場合によっては何れか一方の防滴部材は省略しても良い。また上記各例では、多機能形電子部品１−１，１−２に回転式電子部品の機能と押圧式電子部品の機能の他に、揺動式電子部品の機能を併せ持たせたが、揺動式電子部品の機能は省略しても良い。この場合、取付台６０を揺動自在に支持する構成は不要となり、また押圧スイッチ４５も不要となる。
【図面の簡単な説明】
【００５５】
【図１】多機能形電子部品１−１の概略断面図である。
【図２】多機能形電子部品１−１を上側から見た斜視図である。
【図３】多機能形電子部品１−１を下側から見た斜視図である。
【図４】多機能形電子部品１−１（上側の部品）を上側から見た分解斜視図である。
【図５】多機能形電子部品１−１（中間の部品）を上側から見た分解斜視図である。
【図６】多機能形電子部品１−１（下側の部品）を上側から見た分解斜視図である。
【図７】多機能形電子部品１−１（上側の部品）を下側から見た分解斜視図である。
【図８】多機能形電子部品１−１（中間の部品）を下側から見た分解斜視図である。
【図９】多機能形電子部品１−１（下側の部品）を下側から見た分解斜視図である。
【図１０】多機能形電子部品１−２の概略断面図である。
【図１１】押釦つまみ１８０−２と第１防滴部材３５０−２を上側から見た分解斜視図である。
【図１２】押釦つまみ１８０−２と第１防滴部材３５０−２を下側から見た分解斜視図である。
【符号の説明】
【００５６】
１−１  多機能形電子部品
１０  支持部材
３０  フレキシブル回路基板
３１  第１回路基板部（第１回路基板、回路基板）
３３  第２回路基板部（第２回路基板、回路基板）
４１  摺接パターン（電気的機能部）
４３  中央スイッチ
４５  押圧スイッチ
４７  第１防滴シート（防滴シート）
６０  取付台
９０  回転体
１００  摺動子（電気的機能部）
１２０  クリックバネ（クリック部材）
１５０  ケース
１５３  側壁部
１５５  開口
１６１  つば部
１７０  スペーサ部材
１８０  押釦つまみ
１８１  本体部
１８３  押圧部
２１０  回転つまみ
２１２  開口部
２１５  軸支部
２２１  張出し部
３００  第２防滴部材（防滴部材）
３５０  第１防滴部材（防滴部材）
３５１  防滴挟持部
３５３  覆い板部
１−２  多機能形電子部品
【図１】
2009238707.tif 000003
【図２】
2009238707.tif 000004
【図３】
2009238707.tif 000005
【図４】
2009238707.tif 000006
【図５】
2009238707.tif 000007
【図６】
2009238707.tif 000008
【図７】
2009238707.tif 000009
【図８】
2009238707.tif 000010
【図９】
2009238707.tif 000011
【図１０】
2009238707.tif 000012
【図１１】
2009238707.tif 000013
【図１２】
2009238707.tif 000014